(57)【要約】【課題】コストを抑制して利便性を向上できる洗車機を提供する。【解決手段】被洗浄車両ＣＡの洗浄または乾燥を行う洗車具４を昇降する昇降部２５を備え、昇降部２５が、洗車機本体１に軸支して回転駆動される第１スプロケット２６と、第１スプロケット２６の下方に配して洗車機本体１に上下移動可能に支持される第２スプロケット２７と、第１スプロケット２６及び第２スプロケット２７に巻き掛けられるチェーン２９と、洗車具４を保持するとともにチェーン２９に取り付けられて昇降する保持部３０と、洗車機本体１に対して保持部３０を上下方向の所定位置に配した保持部３０の上限位置を検知する上限検知部３２と、第２スプロケット２７に対して保持部３０を上下方向の所定位置に配した保持部３０の下限位置を検知する下限検知部３３と、保持部３０の上限位置と下限位置との間の移動距離を検知する距離検知部３８とを有する。【選択図】図３
2019073071.tif 000002
【特許請求の範囲】
【請求項１】
被洗浄車両に対して前後方向に相対移動する洗車機本体と、前記洗車機本体に配されて被洗浄車両の洗浄または乾燥を行う洗車具と、前記洗車具を昇降する昇降部とを備えた洗車機であって、
前記昇降部が、前記洗車機本体に軸支して回転駆動される第１スプロケットと、前記第１スプロケットの下方に配して前記洗車機本体に上下移動可能に支持される第２スプロケットと、前記第１スプロケット及び前記第２スプロケットに巻き掛けられるチェーンと、前記洗車具を保持するとともに前記チェーンに取り付けられて昇降する保持部と、前記洗車機本体に対して前記保持部を上下方向の所定位置に配した前記保持部の上限位置を検知する上限検知部と、前記第２スプロケットに対して前記保持部を上下方向の所定位置に配した前記保持部の下限位置を検知する下限検知部と、前記保持部の上限位置と下限位置との間の移動距離を検知する距離検知部とを有することを特徴とする洗車機。
【請求項２】
前記距離検知部が前記保持部に取り付けられる光電センサと、前記洗車機本体に配されるとともに複数の光反射部が光透過部を挟んで上下方向に並設される検知板とを有することを特徴とする請求項１に記載の洗車機。
【請求項３】
前記上限検知部が前記洗車機本体に取り付けられて前記保持部を検知する第１検知素子を有し、前記下限検知部が前記第２スプロケットに取り付けられて前記保持部を検知する第２検知素子を有することを特徴とする請求項１または請求項２に記載の洗車機。
【請求項４】
前記上限検知部が前記保持部に取り付けられる検知素子と、前記洗車機本体に設けられて前記検知素子により検知される被検知部とを有し、前記下限検知部が前記検知素子により前記第２スプロケットを検知することを特徴とする請求項１または請求項２に記載の洗車機。
【請求項５】
前記保持部の上限位置と下限位置との間の移動距離が所定量を超えた際に報知を行う報知部を備えたことを特徴とする請求項１〜請求項４のいずれかに記載の洗車機。
【発明の詳細な説明】
【技術分野】
【０００１】
本発明は、被洗浄車両の洗浄または乾燥を行う洗車具をチェーンにより昇降させる洗車機に関する。
【背景技術】
【０００２】
従来の洗車機は特許文献１に開示されている。この洗車機は被洗浄車両に対して前後方向に移動する洗車機本体を備えている。洗車機本体は左右の対向する２つのスタンド部と、スタンド部の上端を連結する天井部とを有し、被洗浄車両を跨ぐ門型に形成される。
【０００３】
洗車機本体には昇降部により昇降されるトップブラシが設けられる。昇降部は左右のスタンド部にそれぞれ設けられ、第１スプロケット、第２スプロケット、チェーン、昇降モータ及び保持部を備えている。
【０００４】
左右の第１スプロケットはシャフトにより連結され、洗車機本体に軸支される。昇降モータはシャフトの一端に接続され、第１スプロケットを回転駆動する。第２スプロケットは第１スプロケットの下方に配され、洗車機本体に上下移動可能に支持される。チェーンは第１スプロケット及び第２スプロケットに巻き掛けられる。保持部は左右のチェーンにそれぞれ取り付けられる。
【０００５】
トップブラシは軸方向を水平方向に配され、左右の保持部に保持される。トップブラシの軸方向の一端には回転モータが接続される。
【０００６】
上記構成の洗車機において、洗車機本体が前後方向に移動し、昇降モータの駆動によってチェーンが周回して保持部とともにトップブラシが被洗浄車両の上面に沿って昇降する。また、回転モータの駆動によってトップブラシが回転して被洗浄車両の上面が洗浄される。
【０００７】
また、一般に洗車機には保持部の上限位置及び下限位置をそれぞれ検知する上限センサ及び下限センサが設けられる。また、保持部の昇降量を検知する昇降センサが設けられる。上限センサ、下限センサ及び昇降センサは洗車機本体に取り付けられる光電センサ等により形成される。
【０００８】
保持部は洗車前の待機時に上限センサの検知によって上限位置に配され、トップブラシによる洗浄の開始時に下限センサの検知によって下限位置に配される。また、昇降センサは第１スプロケットの回転量を検知し、トップブラシによる洗浄時に昇降センサの検知によって被洗浄車両の上面に沿って保持部を昇降させる。
【先行技術文献】
【特許文献】
【０００９】
【特許文献１】特開平０９−３０９４１５公報
【発明の概要】
【発明が解決しようとする課題】
【００１０】
上記従来の洗車機によると、昇降部のチェーンは経年使用による摩耗によって伸びが発生する。チェーンの伸びが大きくなると、昇降センサの検知により昇降するトップブラシを所望位置に配置できずに洗浄力が低下する場合や、チェーンが破断する場合がある。このため、チェーンの伸びを定期的に検査するメンテナンス作業が必要になり、洗車機の利便性が悪くなる問題があった。
【００１１】
チェーンを下方に引っ張る第２スプロケットの上下位置を検知すると、チェーンの伸びを検知することができる。しかし、上限センサ、下限センサ及び昇降センサに加えて第２スプロケットの上下位置を検知するセンサを設けると、洗車機のコストが大きくなる。
【００１２】
また、被洗浄車両を乾燥させる送風ノズルがチェーンを有する昇降部により昇降する場合も同様の問題がある。
【００１３】
本発明は、コストを抑制して利便性を向上できる洗車機を提供することを目的とする。
【課題を解決するための手段】
【００１４】
上記目的を達成するために本発明は、被洗浄車両に対して前後方向に相対移動する洗車機本体と、前記洗車機本体に配されて被洗浄車両の洗浄または乾燥を行う洗車具と、前記洗車具を昇降する昇降部とを備えた洗車機であって、前記昇降部が、前記洗車機本体に軸支して回転駆動される第１スプロケットと、前記第１スプロケットの下方に配して前記洗車機本体に上下移動可能に支持される第２スプロケットと、前記第１スプロケット及び前記第２スプロケットに巻き掛けられるチェーンと、前記洗車具を保持するとともに前記チェーンに取り付けられて昇降する保持部と、前記洗車機本体に対して前記保持部を上下方向の所定位置に配した前記保持部の上限位置を検知する上限検知部と、前記第２スプロケットに対して前記保持部を上下方向の所定位置に配した前記保持部の下限位置を検知する下限検知部と、前記保持部の上限位置と下限位置との間の移動距離を検知する距離検知部とを有することを特徴とする。
【００１５】
また、本発明は上記構成の洗車機において、前記距離検知部が前記保持部に取り付けられる光電センサと、前記洗車機本体に配されるとともに複数の光反射部が光透過部を挟んで上下方向に並設される検知板とを有することを特徴とする。
【００１６】
また、本発明は上記構成の洗車機において、前記上限検知部が前記洗車機本体に取り付けられて前記保持部を検知する第１検知素子を有し、前記下限検知部が前記第２スプロケットに取り付けられて前記保持部を検知する第２検知素子を有することを特徴とする。
【００１７】
また、本発明は上記構成の洗車機において、前記上限検知部が前記保持部に取り付けられる検知素子と、前記洗車機本体に設けられて前記検知素子により検知される被検知部とを有し、前記下限検知部が前記検知素子により前記第２スプロケットを検知することを特徴とする。
【００１８】
また、本発明は上記構成の洗車機において、前記保持部の上限位置と下限位置との間の移動距離が所定量を超えた際に報知を行う報知部を備えたことを特徴とする。
【発明の効果】
【００１９】
本発明によると、洗車具を昇降する昇降部が上限検知部、下限検知部及び距離検知部を有する。上限検知部は洗車機本体に対して保持部を上下方向の所定位置に配した保持部の上限位置を検知する。下限検知部は第２スプロケットに対して保持部を上下方向の所定位置に配した保持部の下限位置を検知する。距離検知部は保持部の上限位置と下限位置との間の移動距離を検知する。
【００２０】
これにより、チェーンが伸びると第２スプロケットが降下して上限位置と下限位置との距離が大きくなるため、距離検知部によってチェーンの伸びを検出できる。このため、チェーンの伸びを検知するセンサを別途設ける必要がなく、チェーンの伸びを検査するメンテナンス作業を不要にできる。したがって、洗車機のコストを抑制して利便性を向上することができる。
【図面の簡単な説明】
【００２１】
【図１】本発明の第１実施形態の洗車機を示す側面図
【図２】本発明の第１実施形態の洗車機を示す正面図
【図３】本発明の第１実施形態の洗車機のトップブラシの一側方を示す正面図
【図４】本発明の第１実施形態の洗車機の昇降部の一側方を示す側面図
【図５】本発明の第１実施形態の洗車機の昇降部の検知板を示す側面図
【図６】本発明の第２実施形態の洗車機の昇降部の一側方を示す側面図
【発明を実施するための形態】
【００２２】
以下に図面を参照して本発明の実施形態を説明する。図１、図２は本発明の第１実施形態の洗車機ＷＡを示す側面図及び正面図である。洗車機ＷＡはリモートパネル７及び洗車機本体１を備えている。
【００２３】
リモートパネル７は被洗浄車両ＣＡの走行路Ｒに沿って配される。被洗浄車両ＣＡはリモートパネル７の面前で停車し、ユーザは被洗浄車両ＣＡ内からリモートパネル７の操作によって洗車条件の設定を行う。
【００２４】
リモートパネル７に設けたボタンにより、シャンプー、ワックス掛け、撥水コート等の液剤を用いた洗車条件を設定することができる。また、リモートパネル７によってフロントガード有り、フェンダーポール有り、サイドミラー有り、リヤワイパ有り、ルーフキャリア有り等の装備品の設定もすることができる。
【００２５】
洗車機本体１は左右の対向する２つのスタンド部９０と、スタンド部９０の上端を連結する天井部９１とを有した門型に形成される。
【００２６】
地面Ｇ上には左右一対のレール２が敷設され、スタンド部９０の底面に設けた車輪３がレール２上に配される。これにより、洗車機本体１はレール２上に立設し、走行モータ（不図示）の駆動によりレール２上を走行して被洗浄車両ＣＡに対して前後に移動する。
【００２７】
スタンド部９０には洗剤やワックス等の各種液剤を貯液した複数の貯液タンク（不図示）を収納するタンク収納部１７が配される。タンク収納部１７の上方には各貯液タンクからの液剤を分配する分配配管部１８が設けられる。分配配管部１８には噴射ノズルからなる第１、第２浄水ノズル１１、１３、第１、第２洗剤ノズル１２、１５、撥水コートノズル１４、ワックスノズル１６がそれぞれ電磁弁（不図示）を介して導出される。
【００２８】
第１、第２浄水ノズル１１、１３は洗車機本体１の入口面１ａ側及び出口面１ｂ側にそれぞれ配され、被洗浄車両ＣＡに対して洗浄水を噴射する。第１、第２洗剤ノズル１２、１５は洗車機本体１の入口面１ａ側及び出口面１ｂ側にそれぞれ配され、被洗浄車両ＣＡに対して洗剤を噴射する。撥水コートノズル１４及びワックスノズル１６は洗車機本体１の出口面１ｂ側に配される。撥水コートノズル１４は被洗浄車両ＣＡに対して撥水コート剤の液体を噴射する。ワックスノズル１６は被洗浄車両ＣＡに対して液体のワックスを噴射する。
【００２９】
洗車機本体１の一方のスタンド部９０の前面には操作パネル８が配される。操作パネル８は洗車条件を設定するリモートパネル７と同様の操作ボタン（不図示）を備えている。操作パネル８の下方には音声により所定の報知を行う報知部８９が設けられる。なお、報知部８９は表示による報知を行ってもよい。
【００３０】
また、スタンド部９０の前面には車両形状センサ９が設けられている。車両形状センサ９は光電センサや超音波センサ等から成り、洗車機本体１に進入する被洗浄車両ＣＡの車長及び外面形状を検知する。
【００３１】
洗車機本体１には被洗浄車両ＣＡ上に摺動してブラッシングするサイドブラシ５、ロッカーブラシ６及びトップブラシ４から成る複数の回転ブラシが設けられる。サイドブラシ５は被洗浄車両ＣＡの前面、側面及び後面を洗浄する。ロッカーブラシ６は被洗浄車両ＣＡの両側面の下部を洗浄する。トップブラシ４は被洗浄車両ＣＡの上面を洗浄する。
【００３２】
洗車機本体１には気流を発生して被洗浄車両ＣＡを乾燥させるブロア２０が設けられる。ブロア２０にはサイド送風ノズル２２及びトップ送風ノズル２１が接続される。サイド送風ノズル２２は両スタンド部９０にそれぞれ設けられ、被洗浄車両ＣＡの側面に向けて送風する。トップ送風ノズル２１は天井部９１に設けられ、被洗浄車両ＣＡの上面に向けて送風する。トップブラシ４（洗車具）及びトップ送風ノズル２１（洗車具）は後述する昇降部２５（図３参照）により昇降する。
【００３３】
図３はトップブラシ４の右側方の概略正面図を示している。左右のスタンド部９０（図２参照）にはトップブラシ４を昇降させる昇降部２５が設けられる。昇降部２５は上下に配されるスプロケット２６（第１スプロケット）、スプロケット２７（第２スプロケット）を有している。スプロケット２６、２７は軸方向を洗車機本体１の移動方向に直交する水平方向に配される。
【００３４】
上方に配される左右のスプロケット２６は洗車機本体１に回転可能に指示されるシャフト２８ａにより連結される。シャフト２８ａの一端には昇降モータ２８が連結される。下方のスプロケット２７は洗車機本体１に上下方向に移動可能に支持される断面Ｌ字状の基台３４に軸部３４ａで軸支される。上下のスプロケット２６及びスプロケット２７には無端のチェーン２９が巻き掛けられる。基台３４には一または複数の金属板により形成された錘部３５が設けられる。錘部３５を含むスプロケット２７の自重によってチェーン２９に張力を付与することができる。
【００３５】
左右のチェーン２９にはそれぞれトップブラシ４を保持する保持部３０が設けられる。保持部３０には軸部４０ａにより揺動可能に支持される揺動部４０が取り付けられる。一方の揺動部４０には回転モータ４１が配される。トップブラシ４は左右方向に延びる水平な回転軸を有し、軸方向の一端の軸部４ａが回転モータ４１に連結され、他端の軸部４ａが揺動部４０に軸支される。
【００３６】
昇降モータ２８の駆動によってチェーン２９が周回し、保持部３０とともにトップブラシ４（洗車具）が昇降する。トップブラシ４は被洗浄車両ＣＡと接触して前後方向に揺動するとともに回転モータ４１の駆動により回転して洗浄を行う。
【００３７】
また、洗車機本体１の上部には、保持部３０を洗車機本体１に対して上下方向の所定位置に配した上限位置を検知する上限検知部３２が設けられる。基台３４には、スプロケット２７に対して保持部３０を上下方向の所定位置に配した下限位置を検知する下限検知部３３が設けられる。
【００３８】
即ち、保持部３０の上限位置は洗車機本体１に対する位置により規定され、下限位置はスプロケット２７に対する位置により規定される。これにより、チェーン２９の伸びによって保持部３０の下限位置は下降する。
【００３９】
上限検知部３２は光電センサから成る検知素子（第１検知素子）により形成される。下限検知部３３も同様に光電センサから成る検知素子（第２検知素子）により形成される。上限検知部３２及び下限検知部３３を磁気センサまたはリミットスイッチにより形成してもよい。
【００４０】
また、一方のスタンド部９０には保持部３０の移動距離を検知する距離検知部３８が設けられる。図４は一方の昇降部２５の側面図を示している。距離検知部３８は保持部３０に取り付けられる検知素子３１及び洗車機本体１に取り付けられる検知板３６を有している。
【００４１】
図５は検知板３６の側面図を示している。検知板３６は上下方向に延びた櫛状に形成され、複数の光反射部３６ａが光透過部３６ｂを挟んで上下方向に並設される。光透過部３６ｂをスリット状の貫通孔により形成してもよい。検知素子３１は光電センサから成り、光反射部３６ａの反射光をパルス検知して保持部３０の移動距離を検知する。これにより、距離検知部３８は保持部３０の昇降量を検知し、保持部３０の上限位置と下限位置との移動距離を検知することができる。
【００４２】
なお、トップ送風ノズル２１（図２参照）もトップブラシ４と同様の昇降部２５によって昇降される。
【００４３】
上記構成の洗車機ＷＡにおいて、リモートパネル７から所定の洗車設定を行い、所定の位置に被洗浄車両ＣＡを停止させる。この時、保持部３０は上限位置に配される。その後、洗車機本体１が被洗浄車両ＣＡの後方に向かって移動し、サイドブラシ５、ロッカーブラシ６、トップブラシ４によって被洗浄車両ＣＡの洗浄が開始される。
【００４４】
トップブラシ４の洗浄開始時には保持部３０は下限位置に配される。この時、保持部３０の上限位置と下限位置との間の移動距離が距離検知部３８により検知される。トップブラシ４は車両形状センサ９の検知結果に基づいて距離検知部３８のパルス検知により昇降し、被洗浄車両ＣＡの上面を洗浄する。
【００４５】
回転ブラシによる洗浄に続いて、洗車機本体１が前後方向に移動しながらトップ送風ノズル２１、サイド送風ノズル２２によって被洗浄車両ＣＡの乾燥が開始される。この時、トップ送風ノズル２１は車両形状センサ９の検知結果に基づいて距離検知部３８のパルス検知により昇降し、被洗浄車両ＣＡの上面を乾燥する。
【００４６】
また、チェーン２９に経年使用による摩耗によって伸びが発生すると、スプロケット２７が降下して保持部３０の上限位置と下限位置との間の移動距離が大きくなる。このため、距離検知部３８によってチェーン２９の伸びを検出することができる。この時、保持部３０の上限位置と下限位置との間の移動距離が所定量を超えると報知部８９により報知される。これにより、洗車場のスタッフがチェーン２９の交換時期を把握することができ、チェーン２９が交換される。したがって、チェーンの伸びを検知するセンサを別途設ける必要がなく、チェーンの伸びを検査するメンテナンス作業を不要にできる。
【００４７】
保持部３０の上限位置と下限位置との間の移動距離を操作パネル８等に表示してチェーン２９の交換時期に近づいたことを告知してもよい。また、チェーン２９の交換時期に到達したことまたは交換時期に近づいたことをスタッフ用の通信端末に送信してもよい。
【００４８】
本実施形態によると、トップブラシ４及びトップ送風ノズル２１から成る洗車具を昇降する昇降部２５が上限検知部３２、下限検知部３３及び距離検知部３８を有する。上限検知部３２は洗車機本体１に対して保持部３０を上下方向の所定位置に配した保持部３０の上限位置を検知する。下限検知部３３はスプロケット２７（第２スプロケット）に対して保持部３０を上下方向の所定位置に配した保持部３０の下限位置を検知する。距離検知部３８は保持部３０の上限位置と下限位置との間の移動距離を検知する。
【００４９】
これにより、チェーン２９が伸びるとスプロケット２７が降下して上限位置と下限位置との距離が大きくなるため、距離検知部３８によってチェーンの伸びを検出できる。このため、チェーン２９の伸びを検知するセンサを別途設ける必要がなく、チェーン２９の伸びを検査するメンテナンス作業を不要にできる。したがって、洗車機ＷＡのコストを抑制して利便性を向上することができる。
【００５０】
また、距離検知部３８が保持部３０に取り付けられる光電センサから成る検知素子３１と、洗車機本体１に配されるとともに複数の光反射部３６ａが光透過部３６ｂを挟んで上下方向に並設される検知板３６とを有する。これにより、光反射部３６ａの反射光をパルス検知して保持部３０の移動距離を検知する距離検知部３８を容易に実現できる。
【００５１】
また、上限検知部３２が洗車機本体１に取り付けられて保持部３０を検知する検知素子（第１検知素子）を有し、下限検知部３３がスプロケット２７に取り付けられて記保持部を検知する検知素子（第２検知素子）を有する。これにより、上限検知部３２及び下限検知部３３を容易に実現することができる。
【００５２】
また、保持部３０の上限位置と下限位置との間の移動距離が所定量を超えた際に報知を行う報知部８９を備えた。これにより、洗車場のスタッフに容易にチェーン２９が伸長したことを知らせることができる。
【００５３】
＜第２実施形態＞
次に、図６は第２実施形態の洗車機ＷＡの昇降部２５の側面図を示している。説明の便宜上、前述の図１〜図５に示す第１実施形態と同様の部分には同一の符号を付している。本実施形態は上限検知部３２及び下限検知部３３の構成が第１実施形態とは異なっている。その他の部分は第１実施形態と同様である。
【００５４】
保持部３０には双方向リミットスイッチ等により形成される検知素子３７が設けられる。また、洗車機本体１には被検知部３９が内側に突出して設けられる。保持部３０の上限位置を検知する上限検知部３２は検知素子３７及び被検知部３９により形成される。保持部３０の下限位置を検知する下限検知部３３は検知素子３７により形成される。
【００５５】
即ち、保持部３０が上昇すると検知素子３７は被検知部３９に接触し、保持部３０の上限位置が検知される。保持部３０が降下すると検知素子３７は下方のスプロケット２７に接触し、保持部３０の下限位置が検出される。
【００５６】
本実施形態によると、第１実施形態と同様の効果を奏することができる。また、上限検知部３２が保持部３０に設けた検知素子３７と洗車機本体１に設けた被検知部３９とを有し、下限検知部３３が検知素子３７により形成される。これにより、一つの検知素子３７で上限検知部３２及び下限検知部３３を形成することができる。したがって、洗車機ＷＡのコストを削減することができる。
【００５７】
第１、第２実施形態において、チェーン２９を備えた昇降部２５によってトップ送風ノズル２１及びトップブラシ４の一方を昇降し、他方をワイヤー等により昇降してもよい。また、回転ブラシ及び送風ノズルの一方のみを備えた洗車機ＷＡであってもよい。
【産業上の利用可能性】
【００５８】
本発明によると、回転ブラシや送風ノズル等の洗車具をチェーンにより昇降させる洗車機に利用することができる。
【符号の説明】
【００５９】
１      洗車機本体
４      トップブラシ（洗車具）
５      サイドブラシ
６      ロッカーブラシ
７      リモートパネル
８      操作パネル
９      車両形状センサ
２１      トップ送風ノズル（洗車具）
２２      サイド送風ノズル
２５      昇降部
２６      スプロケット（第１スプロケット）
２７      スプロケット（第２スプロケット）
２８      昇降モータ
２８ａ    シャフト
２９      チェーン
３０      保持部
３１、３７  検知素子
３２      上限検知部
３３      下限検知部
３４      基台
３５      錘部
３６      検知板
３６ａ    光反射部
３６ｂ    光透過部
３８      距離検知部
３９      被検知部
４０      揺動部
４１      回転モータ
８９      報知部
９０      スタンド部
９１      天井部
ＣＡ      被洗浄車両
ＷＡ      洗車機
【図１】
2019073071.tif 000003
【図２】
2019073071.tif 000004
【図３】
2019073071.tif 000005
【図４】
2019073071.tif 000006
【図５】
2019073071.tif 000007
【図６】
2019073071.tif 000008